(57)【要約】【課題】トリガー部が操作されると気体圧が装弾室に装填された弾丸に作用するようにされたもとで、暴発等の不所望な事態がまねかれる虞れなく、トリガー部の操作に要される操作力が十分に低減されるものとする。【解決手段】ＢＢ弾に空気圧を作用させる圧力室を形成する圧力室形成部の一部を成すピストン部６７と、ピストン部をコイルスプリング６９の付勢力に抗して静止する位置に維持する規制状態をとる位置規制部材７０と、位置規制部材を規制状態から解放すべく操作されるトリガー部４４と、トリガー部及び位置規制部材に係合し、トリガー部の操作に連動して位置規制部材を変位させる連動機構部７９とを備え、連動機構部が、規制状態をとる位置規制部材を介して加えられるコイルスプリングの付勢力を、ローラ部材９０とそれに当接する傾斜面部８０Ｃとにより方向分散し、方向分散された付勢力に基づく力をトリガー部に荷重として作用させる。【選択図】図１
2005090890.tif 000002
【特許請求の範囲】
【請求項１】
装弾室に装填された弾丸に気体圧を作用させる圧力室を形成する圧力室形成部の一部を成すピストン部と、
該ピストン部を付勢する付勢手段と、
上記ピストン部を上記付勢手段の付勢力に抗して静止する位置に維持する規制状態を選択的にとる位置規制部材と、
上記規制状態をとる上記位置規制部材を該規制状態から解放すべく操作されるトリガー部と、
該トリガー部及び上記位置規制部材に係合し、上記トリガー部の操作に連動して上記位置規制部材を変位させる連動機構部と、
を備え、
上記連動機構部が、上記規制状態をとる上記位置規制部材を介して加えられる上記付勢手段の付勢力を、位置が固定されたローラ部材と該ローラ部材に当接する傾斜面部とによって方向分散し、方向分散された付勢力に基づく力を上記トリガー部に荷重として作用させることを特徴とする玩具銃。
【請求項２】
上記圧力室形成部が、上記ピストン部を内蔵した可動部材によって形成され、該可動部材の上記装弾室から離隔する移動と上記装弾室に近接する移動とによって、上記装弾室に弾丸が装填されるとともに上記圧力室形成部による圧力室が形成される状態がとられることを特徴とする請求項１記載の玩具銃。
【請求項３】
上記連動機構部が、上記位置規制部材に連結されるとともに上記傾斜面部が形成されて上記位置規制部材に連結された可動連結部材と、該可動連結部材と上記トリガー部との両者に係合する可動係合部材とを含んで構成されることを特徴とする請求項１記載の玩具銃。
【請求項４】
上記可動係合部材が、上記可動連結部材と上記トリガー部との間に揺動可能に設けられたことを特徴とする請求項３記載の玩具銃。
【請求項５】
上記可動連結部材が、上記傾斜面部に加えて、上記可動係合部材に当接して該可動係合部材に加えられる力を方向分散させる係合傾斜面部が設けられたものとされることを特徴とする請求項３記載の玩具銃。
【発明の詳細な説明】
【技術分野】
【０００１】
本願の特許請求の範囲に記載された発明は、装弾室に装填された弾丸を、トリガー部の操作に連動するピストン部の移動によって圧縮される気体の気体圧によって発射させる、気体圧を利用した玩具銃に関する。
【背景技術】
【０００２】
遊戯銃の一種に、精密射撃に用いられる射撃競技用の実銃を模したものがある。このような遊戯銃は、実銃の世界とは切り離された遊戯銃の世界における精密射撃に用いられることが多く、それゆえ、他の各種の遊戯銃に比して極めて高い命中精度が要求される。
【０００３】
精密射撃に用いられることが多いとは言えども、射撃競技用の実銃を模した遊戯銃（以下、精密射撃用玩具銃という。）も、弾丸の発射原理は、他の各種の遊戯銃の場合と同様であって、装弾室に装填したプラスチック製の中空の弾丸（通常、ＢＢ弾と呼ばれる。）を、それに圧縮エアーもしくはエアー以外のガスを作用させて、そのエアー圧もしくはガス圧によってＢＢ弾を発射させるものとされる。圧縮エアーを利用してＢＢ弾の発射を行う精密射撃用玩具銃の具体的構造としては、例えば、バレル部の後端部分に設けられた装弾室の後方に圧力室を形成する圧力室形成部が前後動可能に配されて、その圧力室形成部の一部が、スプリングによって前方側へと付勢されて前後方向に移動可能なピストン部によって構成されるものとされ、圧力室形成部の前後動によってのＢＢ弾の装弾室への装填が行われ、その後、トリガー部が引かれると、それに応じてピストン部がスプリングの付勢力によって装弾室に近接すべく前方に移動せしめられ、それにより圧力室内のエアーが圧縮されて、装弾室に装填されたＢＢ弾に圧縮エアーによるエアー圧が作用するようにされたものが知られている（例えば、非特許文献１参照。）。
【０００４】
非特許文献１に見られる具体的構造を有した精密射撃用玩具銃にあっては、コイルスプリングによって付勢されたピストン部を内蔵して圧力室形成部を構成し、前端部にノズルが設けられたボルトと称される可動部材と、トリガー部に係合するもとで圧力室形成部の一部を成すピストン部の位置を規制する位置規制状態を選択的にとり、トリガー部の操作により位置規制状態から解放されるシアーと称される可動係合部材とが備えられる。そして、可動部材が、それに設けられたハンドルが操作されて後退せしめられ、また、それに続いて前進せしめられることにより、バレルの後端部分に設けられたラバーチャンバーと称される装弾室に対して離隔あるいは近接せしめられる。可動部材の前端部を形成するノズルは、可動部材が前進するとき、弾倉（マガジン）からのＢＢ弾を装弾室へと搬送するとともに、可動部材内に形成される圧力室と装弾室とを連通させる。
【０００５】
可動部材がこのように前進して前進位置をとるとき、ピストン部は、可動係合部材による位置規制を受けて、コイルスプリングによる付勢力に抗して可動部材内における後方位置に静止するものとされ、可動部材内における圧力室が大なる容積を有するものとされる。斯かるもとで、トリガー部が引かれる操作が行われると、それに連動して可動係合部材によるピストン部に対する位置規制が解除され、ピストン部がコイルスプリングの付勢力によって可動部材内を前進して、可動部材内における圧力室の容積を急激に縮小させる。それにより、可動部材内における圧力室内のエアーが圧縮され、装弾室に装填されたＢＢ弾に圧縮エアーによるエアー圧が作用して、ＢＢ弾を装弾室から発射させる。
【０００６】
斯かる非特許文献１に見られるような具体的構造を有した精密射撃用玩具銃は、装弾室に装填されたＢＢ弾がそれに作用する気体圧によって発射される毎に、ハンドル操作による可動部材の後退とそれに続く前進とが行われて、可動部材に内蔵されたピストン部が可動係合部材による位置規制を受けて可動部材内における後方位置に置かれるとともに、ＢＢ弾が装弾室に装填される。
【０００７】
このような精密射撃用玩具銃において、可動部材に内蔵されたピストン部を可動部材内に形成される圧力室の容量を急激に縮小させるべく前進させるコイルスプリングの付勢力は、比較的大なるものとされる。それに伴い、ピストン部をコイルスプリングによる付勢力に抗して可動部材内における後方位置に静止させるべく位置規制する可動係合部材には、ピストン部を介して、コイルスプリングの比較的大とされる付勢力が作用する。従って、可動係合部材に係合し、引かれる操作が行われるとき、可動係合部材にピストン部に対する位置規制を解除させるトリガー部には、コイルスプリングによる付勢力が可動係合部材を介して荷重として作用し、トリガー部を引く操作に比較的大なる操作力が要されることになる。
【０００８】
トリガー部を引く操作に要される操作力が大とされることは、トリガー部を引く操作に伴う銃全体の動揺が増大されることにつながり、その結果、発射されるＢＢ弾についての命中精度の低下がきたされることになってしまう。このことは、高い命中精度が要求される精密射撃用玩具銃にあっては、大きな問題である。
【０００９】
こうしたもとで、発射されるＢＢ弾についての命中精度を向上させるべく、トリガー部を引く操作に要される操作力を軽減することができるものとして、トリガー部に係合するもとで、ピストン部をコイルスプリングによる付勢力に抗して位置規制する位置規制状態を選択的にとるとともに、トリガー部の操作に連動してピストン部に対する位置規制を解除するものとされた、例えば、図１１に示される如くの連動機構が提案されている。
【００１０】
図１１に示される連動機構は、軸１を支軸とする回動が可能とされ、後端部をトリガー部２に当接させる第１の回動部材４と、軸５を支軸とする回動が可能とされ、下端部を第１の回動部材４の前端部に当接させるとともに、上端部をピストン部９の後端部に設けられた環状フランジ部９Ａに当接させて、ピストン部９を、それに作用するコイルスプリング１０の比較的大なる付勢力に抗して静止する位置に規制する、位置規制状態を選択的にとる第２の回動部材１１とを含んで構成される。トリガー部２は、それに対する引く操作が行われるとき、軸１５を支軸として、図１１において反時計回りに回動する。そして、トリガー部２に対して、それに図１１において実線により示される位置をとらせるべく付勢力を作用させる、コイルスプリング２０が設けられるとともに、第１の回動部材４に対して、それに図１１において実線により示される位置をとらせるべく付勢力を作用させる、コイルスプリング２１が設けられている。
【００１１】
トリガー部２が、それを引く操作が行われて、図１１において実線により示される位置から一点鎖線により示される位置へと変位せしめられるとき、第１の回動部材４は、軸１を支軸として、図１１において反時計回りに回動せしめられる。それにより、図１１において実線により示される位置から一点鎖線により示される位置へと変位せしめられ、第１の回動部材４の前端部が、第２の回動部材１１の下端部から下方に離隔して、第１の回動部材４と第２の回動部材１１とが相互係合状態から解放される。それにより、第２の回動部材１１によるピストン部９に対する位置規制が解除され、ピストン部９は、それに作用するコイルスプリング１０の付勢力により、第２の回動部材１１に軸５を支軸とする図１２において反時計回りの回動を行わせて前進する。
【００１２】
斯かるもとで、ピストン部９をコイルスプリング１０の付勢力に抗して静止する位置に規制する位置規制状態をとる第２の回動部材１１は、ピストン部９を介して伝達されるコイルスプリング１０の付勢力によって、軸５を支軸とした図１１において反時計回りの回動を生じる方向に付勢されており、その回動が第１の回動部材４によって阻止されている状態にある。このとき、第１の回動部材４の前端部は、第２の回動部材１１の下端部による軸１に向かう方向の押圧力を受けている。そして、トリガー部２は、それを引く操作が行われるとき、第１の回動部材４に、軸１を支軸とする図１１において反時計回りの回動を生じさせ、それにより、その前端部を、第２の回動部材１１の下端部による押圧力の方向とは交差する方向である下方に移動させて、第２の回動部材１１の下端部との係合から解放し、第２の回動部材１１の軸５を支軸とした回動を許容する状態をとらせることになる。その結果、トリガー部２を引く操作に要される操作力が、ピストン部をそれに対するコイルスプリングの付勢力に抗して静止する位置に規制する位置規制状態をとる部材がトリガー部に直接的に係合する場合における、トリガー部を引く操作に要される操作力に比して、軽減されることになる。
【非特許文献１】「月刊アームズ・マガジン」  発行所：株式会社ホビージャパン  １９９４年５月号、ｐ５６ー５７
【発明の開示】
【発明が解決しようとする課題】
【００１３】
上述の図１１に示されるような連動機構を備えた精密射撃用玩具銃においては、トリガー部２を引く操作に要される操作力が、例えば、前述の非特許文献１に見られるような具体的構造を有した精密射撃用玩具銃におけるトリガー部を引く操作に要される操作力に比して、軽減されることになる。しかしながら、図１１に示されるような連動機構を備えた精密射撃用玩具銃の場合、ピストン部９をコイルスプリング１０の付勢力に抗して静止する位置に規制する位置規制状態をとる第２の回動部材１１の下端部が、第１の回動部材４の前端部に軸１に向かう方向の押圧力を加えるが、その際、第２の回動部材１１の下端部と第１の回動部材４の前端部とは平面接触による相互係合状態にあり、相互接触する第２の回動部材１１の下端部及び第１の回動部材４の前端部の夫々における平面は、第２の回動部材１１の下端部が第１の回動部材４の前端部に加える押圧力に略直交することになる。
【００１４】
それゆえ、トリガー部２が、それを引く操作が行われることにより、第１の回動部材４に、軸１を支軸とする図１１において反時計回りの回動を生じさせ、それにより、その前端部を第２の回動部材１１の下端部から離隔させる際において、相互接触する第２の回動部材１１の下端部及び第１の回動部材４の前端部の夫々における平面間における摩擦力は、相当に大なるものとされる。そして、トリガー部２は、このような相互接触する第２の回動部材１１の下端部及び第１の回動部材４の前端部の夫々における平面間における大なる摩擦力に打ち勝って、第１の回動部材４に軸１を支軸とする図１１において反時計回りの回動を生じさせることになる。従って、図１１に示されるような連動機構を備えた精密射撃用玩具銃の場合であっても、トリガー部２を引く操作に要される操作力が十分に低減されることになるとは言い難い。
【００１５】
斯かる点に鑑み、本願の特許請求の範囲に記載された発明は、装弾室と圧力室を形成する圧力室形成部とが配されて、圧力室形成部の一部が付勢手段によって付勢されたピストン部によって構成され、弾丸の装弾室への装填が行われた後トリガー部が操作されると、それに応じてピストン部が付勢手段の付勢力によって移動せしめられ、それにより圧力室形成部によって形成される圧力室内の気体による気体圧が装弾室に装填された弾丸に作用するものとなるようにされたもとで、暴発等の不所望な事態がまねかれる虞れなく、トリガー部の操作に要される操作力が十分に低減されることになる玩具銃を提供する。
【課題を解決するための手段】
【００１６】
本願の特許請求の範囲における請求項１から請求項５までのいずれかに記載された発明に係る玩具銃は、装弾室に装填された弾丸に気体圧を作用させる圧力室を形成する圧力室形成部の一部を成すピストン部と、ピストン部を付勢する付勢手段と、ピストン部を付勢手段の付勢力に抗して静止する位置に維持する規制状態を選択的にとる位置規制部材と、規制状態をとる位置規制部材をその規制状態から解放すべく操作されるトリガー部と、トリガー部及び位置規制部材に係合し、トリガー部の操作に連動して位置規制部材を変位させる連動機構部とを備え、連動機構部が、規制状態をとる位置規制部材を介して加えられる付勢手段の付勢力を、位置が固定されたローラ部材とローラ部材に当接する傾斜面部とによって方向分散し、方向分散分散された付勢力に基づく力をトリガー部に荷重として作用させるものとされて、構成される。
【００１７】
特に、本願の特許請求の範囲における請求項３に記載された発明に係る玩具銃は、連動機構部が、位置規制部材に連結されるとともに傾斜面部が形成されて位置規制部材に連結された可動連結部材と、その可動連結部材とトリガー部との両者に係合する可動係合部材とを含んで構成されるものとされる。
【発明の効果】
【００１８】
本願の特許請求の範囲における請求項１から請求項５までのいずれかに記載された発明に係る玩具銃にあっては、ピストン部を付勢手段の付勢力に抗して静止する位置に維持する規制状態を選択的にとる位置規制部材と規制状態をとる位置規制部材をその規制状態から解放すべく操作されるトリガー部との両者に係合し、トリガー部の操作に連動して位置規制部材を変位させる連動機構部が、規制状態をとる位置規制部材を介して加えられる付勢手段の付勢力を、位置が固定されたローラ部材とローラ部材に当接する傾斜面部とによって方向分散し、方向分散された付勢力に基づく、例えば、それをさらに方向分散して得られる力を、トリガー部に荷重として作用させるものとされる。それにより、位置規制部材がピストン部を付勢手段の付勢力に抗して静止する位置に維持する規制状態をとるもとにおいてトリガー部に作用する荷重が、方向分散された付勢力に基づく力とされるので、位置規制部材をその規制状態から解放するためのトリガー部の操作が、著しく低減された操作力をもって行えるものとされる。
【００１９】
しかも、このような位置規制部材がピストン部を付勢手段の付勢力に抗して静止する位置に維持する規制状態をとるもとにおいてトリガー部に作用する荷重が、方向分散された付勢力に基づく力とされる状態は、例えば、本願の特許請求の範囲における請求項３に記載された発明に係る玩具銃が備える、傾斜面部が形成されて位置規制部材に連結された可動連結部材とその可動連結部材とトリガー部との両者に係合する可動係合部材とを含んで構成される連動機構部のような、確実な動作を行う構成によってとられるので、例えば、暴発等の不都合がまねかれる虞はない。
【００２０】
従って、本願の特許請求の範囲における請求項１から請求項５までのいずれかに記載された発明に係る玩具銃によれば、装弾室と圧力室を形成する圧力室形成部とが配されて、圧力室形成部の一部が付勢手段によって付勢されたピストン部によって構成され、弾丸の装弾室への装填が行われた後トリガー部が操作されると、それに応じてピストン部が付勢手段の付勢力によって移動せしめられ、それにより圧力室形成部によって形成される圧力室内の気体による気体圧が装弾室に装填された弾丸に作用するものとなるようにされたもとで、例えば、暴発等の不所望な事態をまねく虞れなく、トリガー部の操作に要される操作力を十分に低減できることになる。
【発明を実施するための最良の形態】
【００２１】
本願の特許請求の範囲における請求項１から請求項５までのいずれかに記載された発明は、装弾室に装填された弾丸に気体圧を作用させる圧力室を形成する圧力室形成部の一部を成すピストン部に対する位置規制部材とトリガー部との両者に係合し、トリガー部の操作に連動して位置規制部材を変位させる連動機構部が、トリガー部を引く操作に要される操作力を低減させる玩具銃に係るものであるが、その実施にあたっての最良の形態は、以下に述べられる実施例をもって説明される。
【実施例】
【００２２】
図２及び図３は、本願の特許請求の範囲における請求項１から請求項５までのいずれかに記載された発明に係る玩具銃の一例（玩具銃４０）の外観を示す。
【００２３】
図２及び図３に示される玩具銃４０にあっては、バレル部４１の後方に可動部材４２が備えられるとともに、可動部材４２の下方にトリガー部４４が備えられたものとされている。可動部材４２は、その後端部分４２Ａに設けられたハンドル部４５を利用しての操作により、バレル部４１に沿う方向に移動させることができるものとされている。さらに、玩具銃４０には、グリップ部４６より後方に延びるショルダーストック４８が備えられるとともに、図示が省略されたスコープを取り付けるためのスコープ取付部４９が備えられている。
【００２４】
バレル部４１は、図４に示されるように、アウターバレル４１Ａとインナーバレル４１Ｂとを有して構成され、インナーバレル４１Ｂの後端部に装弾室５０が設けられたものとされている。装弾室５０は、インナーバレル４１Ｂに係合する環状部材５０Ａによって形成されている。
【００２５】
図４に示されるように、トリガー部４４は、軸５４を支軸として回動し得るものとされており、上方部分には、上方に向けて突出する突起部４４Ａが設けられている。さらに、トリガー部４４における上方部分には、前方（バレル部４１の先端部である銃口に向かう方向）に伸びる可動突出部５５とその可動突出部５５に付勢力を作用させるコイルスプリング５６とが配されている。可動突出部５５は、コイルスプリング５６の付勢力により、その先端部分をトリガー部４４から外部に突出させている。斯かるトリガー部４４は、図４に示される位置が、操作開始位置とされており、その下方部分をグリップ部４６に近接させる方向に引く操作により、操作開始位置から回動せしめられる。
【００２６】
可動部材４２は、その前端部分にノズル部６０が設けられており、ノズル部６０の後方に環状部６１が配されている。そして、可動部材４２内には、前端部分がノズル部６０と環状部６１とにより形成された圧力室６３が設けられており、この圧力室６３は、ノズル部６０と環状部６１とを貫通する通路状空間を通じて、可動部材４２の外部に連通している。
【００２７】
このような可動部材４２は、ノズル部６０の先端部分を、装弾室５０を形成する環状部材５０Ａに係合させた、図４に示される位置が基準位置とされている。可動部材４２のそれに設けられたハンドル部４５を利用しての操作によるバレル部４１に沿う方向の移動は、装弾室５０から離隔する後退あるいは装弾室５０に近接する前進とされる。そして、基準位置をとる可動部材４２が装弾室５０から離隔せしめられることにより、図５に示されるように、圧力室６３が装弾室５０から切り離され、一方、装弾室５０から離隔した位置をとる可動部材４２が装弾室５０に近接せしめられて基準位置に復帰することにより、図４に示されるような、圧力室６３が、ノズル部６０及び環状部６１を貫通する通路状空間を通じて、装弾室５０に連通せしめられる。
【００２８】
可動部材４２内の圧力室６３の後端部分は、可動部材４２に内蔵されてバレル部４１に沿う方向に伸びるものとされた、ピストン部６７によって形成されている。ピストン部６７は、可動部材４２内において前後に、即ち、ノズル部６０及び環状部６１に近接する方向及びノズル部６０及び環状部６１から離隔する方向に移動可能とされており、ピストン部６７の先端部には、可動部材４２に配された環状部６１に係合する状態をとる突出部６７Ａが設けられている。
【００２９】
ピストン部６７には、ガイド部材６８に巻装されたコイルスプリング６９が係合しており、コイルスプリング６９は、ピストン部６７をノズル部６０及び環状部６１に近接する方向に付勢する付勢手段を構成している。ガイド部材６８は、可動部材４２内において、例えば、玩具銃４０のフレーム部に固定配置されている。
【００３０】
このようなもとで、可動部材４２内の圧力室６３は、可動部材４２の一部，ノズル部６０及び環状部６１及びピストン部６７によって形成されている。即ち、可動部材４２の一部，ノズル部６０及び環状部６１及びピストン部６７は、圧力室６３を形成する圧力室形成部を構成しているのであり、ピストン部６７は圧力室形成部の一部を成している。
【００３１】
ピストン部６７は、図４に示されるように、位置規制部材７０による位置規制を受けて、コイルスプリング６９の付勢力に抗して静止する位置に維持される状態をとる。このように、ピストン部６７が、位置規制部材７０による位置規制のもとにとる、装弾室５０から後方への離隔距離が大とされた位置が、ピストン部６７の基準位置とされる。
【００３２】
玩具銃４０におけるトリガー部４４より前方となる部分には、内部に弾倉７５が設けられたケース７６が、弾倉７５に設けられた弾丸排出口７５Ａを装弾室５０の近傍に位置させるものとして、着脱可能に装着されている。弾倉７５内には、それに装填されたＢＢ弾７７に対し、弾丸排出口７５Ａに向かわせる方向の付勢力を作用させるコイルスプリング７８が配されている。
【００３３】
装弾室５０の近傍に位置する弾丸排出口７５Ａは、図４に示される如く、可動部材４２が基準位置をとるときには、その可動部材４２のノズル部６０によって閉塞され、また、基準位置をとる可動部材４２がハンドル部４５を利用した操作により、図５に示される如くに装弾室５０から後退せしめられることにより開状態にされる。弾丸排出口７５Ａが開状態にされると、コイルスプリング７８の付勢力により、弾丸排出口７５ＡからＢＢ弾７７が１つ押し出される。弾丸排出口７５Ａから押し出されたＢＢ弾７７は、ケース７６における弾丸排出口７５Ａの近傍に設けられた係止部により係止される。
【００３４】
そして、玩具銃４０にケース７６が装着されたもとでの、空の状態にある装弾室５０への弾倉７５からのＢＢ弾７７の供給は、ハンドル部４５を利用した操作による、基準位置をとる可動部材４２の装弾室５０からの後退と、その後の可動部材４２の基準位置に復帰する前進とによって行われる。即ち、基準位置をとる可動部材４２が一旦装弾室５０から後退して、弾倉７５の弾丸排出口７５Ａが開状態とされ、それにより弾丸排出口７５ＡからＢＢ弾７７が押し出されて係止されたもとで、装弾室５０から離隔せしめられた可動部材４２が前進して基準位置に戻るとき、弾丸排出口７５Ａから押し出されて係止されたＢＢ弾７７が、ノズル部６０により装弾室５０へと搬送され、可動部材４２の基準位置への到達に伴って装弾室５０に装填される。このようにして装弾室５０に装填されたＢＢ弾７７は、装弾室５０を形成する環状部材５０Ａとノズル部６０の先端部とによって、位置決めされる。
【００３５】
ピストン部６７をコイルスプリング６９の付勢力に抗して静止する位置に維持し、ピストン部６７に基準位置をとらせる規制状態を選択的にとる位置規制部材７０は、トリガー部４４に係合する連動機構部７９に係合したものとされている。連動機構部７９は、図１に明瞭に示される如く、軸７４を介して位置規制部材７０に連結されて移動可能とされた可動連結部材８０，軸８１を支軸とする揺動が可能とされて、可動連結部材８０とトリガー部４４との両者に係合する可動係合部材８２、及び、位置規制部材７０に対して設けられたコイルスプリング８３及び可動当接部材８４をを含んで構成されている。軸７４は玩具銃４０のフレーフ部からは切り離されているが、軸８１は玩具銃４０のフレーフ部に立設されている。このようにして、連動機構部７９は、可動係合部材８２がトリガー部４４に係合し、可動連結部材８０が軸７４を介して位置規制部材７０に連結されたものとされることによって、トリガー部４４及び位置規制部材７０の両者に係合しているのである。
【００３６】
位置規制部材７０は、軸７４が貫通する平板状部分７０Ａと、その平板状部分７０Ａより厚みが大とされた突出板状部分７０Ｂとを有し、平板状部分７０Ａにおける軸７４より下方となる部位には、係合ピン８５が設けられている。この位置規制部材７０は、図１に示される位置を基準回動位置としており、その基準回動位置において、突出板状部分７０Ｂを、ピストン部６７の後端部を成す環状フランジ部６７Ｂにその前方側から当接させて、ピストン部６７を基準位置に維持する規制状態をとる。位置規制部材７０の平板状部分７０Ａに設けられた係合ピン８５には、コイルスプリング８３によって付勢された可動当接部材８４が当接している。
【００３７】
連動機構部７９を構成する可動連結部材８０は、軸８６が貫通する長孔８０Ａが設けられた部分と長孔８０Ａより後方に位置して軸７４が貫通する部分とを含む前方部分、及び、前方部分にその後方へと連なり、上方に向けて開口する凹部を形成する凹部形成部８０Ｂと凹部形成部８０Ｂから後上方に傾斜して伸びる傾斜面部８０Ｃとが設けられた後方部分を有しており、後端部には、傾斜面部８０Ｃとは別の係合傾斜面部８０Ｄが設けられている。そして、可動連結部材８０は、その全体が、位置規制部材７０を伴っての移動、及び、位置規制部材７０との相対的回動を行うことができるものとされている。
【００３８】
可動連結部材８０に設けられた傾斜面部８０Ｃは、玩具銃４０のフレーム部に回転可能に取り付けられたローラ部材９０にその後方側から当接しており、また、可動連結部材８０における後端部には、係合傾斜面部８０Ｄによる傾斜段部が形成されている。このような可動連結部材８０は、それに設けられた長孔８０Ａとそれに係合する軸８６とにより移動範囲が規制されるもとで、傾斜面部８０Ｃがローラ部材９０に当接する状態が維持されるように移動するものとされ、図１に示される位置を基準位置としている。
【００３９】
そして、可動連結部材８０が基準位置をとるとともに位置規制部材７０が基準回動位置をとるもとにおいては、可動連結部材８０は、その長孔８０Ａが設けられた部分を、位置規制部材７０の突出板状部分７０Ｂにその前方側から当接させ、さらに、凹部形成部８０Ｂが設けられた部分を、位置規制部材７０の平板状部分７０Ａにその後方側から当接させる状態におかれる。
【００４０】
連動機構部７９を構成する可動係合部材８２は、軸８１が貫通する第１の部分８２Ａと、その第１の部分８２Ａから伸びる第２の部分８２Ｂとを有している。可動係合部材８２の第１の部分８２Ａは、可動連結部材８０の係合傾斜面部８０Ｄが形成する傾斜段部に対応する傾斜面部８２ａが設けられた上方端部と、軸８１の周囲とされる下方端部とを有しており、軸８１を支軸として揺動可能とされている。そして、この第１の部分８２Ａには、トリガー部４４から先端部分を突出させた可動突出部５５が当接しており、それにより、可動係合部材８２が可動突出部５５を介してトリガー部４４に係合していることになる。また、可動係合部材８２の第２の部分８２Ｂには、トリガー部４４に設けられた突起部４４Ａに対応する形状を有した係止部８２ｂが設けられている。
【００４１】
このような第１の部分８２Ａ及び第２の部分８２Ｂを有した可動係合部材８２は、第１の部分８２Ａに当接する可動突出部５５を介して作用するコイルスプリング５６の付勢力により、その全体が、第１の部分８２Ａの上方端部を可動連結部材８０の後端部に近接させる方向に押圧されている。
【００４２】
そして、トリガー部４４が操作開始位置にあるとき、可動係合部材８２は、その第２の部分８２Ｂに設けられた係止部８２ｂを、操作開始位置をとるトリガー部４４に設けられた突起部４４Ａにその前方側から当接させるとともに、第１の部分８２Ａにおける上方端部を、基準位置をとる可動連結部材８０の係合傾斜段部８０Ｄが形成する傾斜段部にその後方側から当接させて、トリガー部４４と可動連結部材８０との両者を位置規制する。それにより、可動係合部材８２は、トリガー部４４に、確実に操作開始位置を維持させるとともに、基準位置に位置規制された可動連結部材８０に位置規制部材７０に対する位置規制を行わせて、位置規制部材７０に、ピストン部６７に基準位置をとらせる基準回動位置を維持させる。
【００４３】
ピストン部６７は、その基準位置をコイルスプリング６９の付勢力に抗して静止することによりとるものとされ、それにより、ピストン部６７を基準位置に規制する位置規制部材７０に当接する可動連結部材８０には、位置規制部材７０を介して、ピストン部６７に作用するコイルスプリング６９の付勢力が荷重として加えられることになる。
【００４４】
このような位置規制部材７０と可動連結部材８０及び可動係合部材８２を含んで構成される連動機構部７９とを備えた玩具銃４０にあっては、図１及び図４に示される如く、ハンドル部４５を利用した操作により、可動部材４２が、空の状態にある装弾室５０から離隔する後退及びそれに続く装弾室５０に近接する前進を行って、弾倉７５からのＢＢ弾７７を装弾室５０に装填し、圧力室６３を装弾室５０に連通させる基準位置に復帰するものとされるとともに、連動機構部７９によって位置規制部材７０がピストン部６７に基準位置をとらせるものとされたもとで、装弾室５０に装填されたＢＢ弾７７を発射させるべくトリガー部４４が引かれる操作が行われる。
【００４５】
トリガー部４４が引かれると、トリガー部４４は、軸５４を支軸として操作開始位置から図１における反時計回りに回動する。このトリガー部４４の軸５４を支軸とする回動は、トリガー部４４に設けられた突起部４４Ａによって、可動係合部材８２を可動連結部材８０に押しつける状態をもって開始される。そして、斯かるトリガー部４４の回動は、図６に示される如く、トリガー部４４に設けられた突起部４４Ａが可動係合部材８２の第２の部分８２Ｂに設けられた係止部８２ｂから外れることになる状態を生じる。
【００４６】
それによりトリガー部４４に設けられた突起部４４Ａと第２の部分８２Ｂに設けられた係止部８２ｂとの相互当接状態から解放された可動係合部材８２は、その第１の部分８２Ａの上方端部に設けられた傾斜面部８２ａに可動連結部材８０の後端部に設けられた係合傾斜面部８０Ｄが及ぼす荷重が加えられることにより、図７に示されるように、軸８１を支軸として図７における時計回りに回動する。斯かる軸８１を支軸とする可動係合部材８２の回動により、可動係合部材８２の第１の部分８２Ａの上方端部に設けられた傾斜面部８２ａが、可動連結部材８０の後端部に設けられた係合傾斜面部８０Ｄから離隔し、それにより可動連結部材８０が可動係合部材８２による位置規制状態から解放される。
【００４７】
斯かる際に、可動連結部材８０を可動係合部材８２による位置規制状態から解放するため、トリガー部４４に設けられた突起部４４Ａが可動係合部材８２の第２の部分８２Ｂに設けられた係止部８２ｂから外れることになる状態を生じさせるべくトリガー部４４を引く操作に要される操作力は、以下に述べられる理由によって低減された比較的小なるものとされる。
【００４８】
トリガー部４４に設けられた突起部４４Ａが可動係合部材８２の第２の部分８２Ｂに設けられた係止部８２ｂから外れることになる状態を生じさせるべくトリガー部４４を引く操作には、可動係合部材８２の第２の部分８２Ｂに設けられた係止部８２ｂによりトリガー部４４に設けられた突起部４４Ａに加えられる荷重、即ち、可動係合部材８２の第１の部分８２Ａの上方端部に設けられた傾斜面部８２ａに加えられる、可動連結部材８０の後端部に設けられた係合傾斜面部８０Ｄが及ぼす力に基づく荷重、に打ち勝つ操作力が要される。
【００４９】
可動係合部材８２の第１の部分８２Ａの上方端部に設けられた傾斜面部８２ａに加えられる、可動連結部材８０の後端部に設けられた係合傾斜面部８０Ｄが及ぼす力は、その根源が、位置規制部材７０によって基準位置に位置規制されたピストン部６７に作用するコイルスプリング６９の付勢力である。そして、このピストン部６７に作用するコイルスプリング６９の付勢力が、ピストン部６７からそれに係合した位置規制部材７０に伝えられ、さらに、位置規制部材７０から可動連結部材８０へと伝えられる。
【００５０】
位置規制部材７０及び可動連結部材８０に伝えられるコイルスプリング６９の付勢力は、位置規制部材７０及び可動連結部材８０を、コイルスプリング８３の付勢力に抗して前方側に移動させようとする力となる。そして、位置規制部材７０及び可動連結部材８０に伝えられたコイルスプリング６９の付勢力は、可動連結部材８０に設けられた傾斜面部８０Ｃをローラ部材９０に押し付けることになり、それによって、可動連結部材８０に設けられた傾斜面部８０Ｃにおいて、前方に向かう方向と下方に向かう方向とに方向分散された力とされる。
【００５１】
可動連結部材８０に設けられた傾斜面部８０Ｃにおいて前方に向かう方向と下方に向かう方向とに方向分散された力のうちの下方に向かう方向の力が、可動連結部材８０の後端部に設けられた係合傾斜面部８０Ｄを通じてそれに当接する可動係合部材８２の第１の部分８２Ａの上方端部に設けられた傾斜面部８２ａに伝えられる。その際、可動係合部材８２の第１の部分８２Ａの上方端部に設けられた傾斜面部８２ａに伝えられる力は、上述の下方に向かう方向の力が、可動連結部材８０の後端部に設けられた係合傾斜面部８０Ｄにおいて、係合傾斜面部８０Ｄに平行な方向と係合傾斜面部８０Ｄに直交する方向とに方向分散されて得られる、係合傾斜面部８０Ｄに直交する方向の力とされる。即ち、可動連結部材８０の後端部に設けられた係合傾斜面部８０Ｄにおいて得られる係合傾斜面部８０Ｄに直交する方向の力が、可動係合部材８２の第１の部分８２Ａの上方端部に設けられた傾斜面部８２ａに加えられる、可動連結部材８０の後端部に設けられた係合傾斜面部８０Ｄが及ぼす力とされるのである。
【００５２】
そして、さらに、可動係合部材８２の第１の部分８２Ａの上方端部に設けられた傾斜面部８２ａに加えられる、可動連結部材８０の後端部に設けられた係合傾斜面部８０Ｄが及ぼす力が、傾斜面部８２ａにおいて後方に向かう方向と下方に向かう方向とに方向分散され、それにより得られる後方に向かう方向の力が、可動係合部材８２の第２の部分８２Ｂに設けられた係止部８２ｂによりトリガー部４４に設けられた突起部４４Ａに加えられる荷重とされるのである。
【００５３】
従って、可動係合部材８２の第２の部分８２Ｂに設けられた係止部８２ｂによりトリガー部４４に設けられた突起部４４Ａに加えられる荷重は、位置規制部材７０によって基準位置に位置規制されたピストン部６７に作用するコイルスプリング６９の付勢力が、先ず、可動連結部材８０に設けられた傾斜面部８０Ｃにおいて方向分散され、次に、それにより得られる下方に向かう方向の力が、可動連結部材８０の後端部に設けられた係合傾斜面部８０Ｄにおいて方向分散され、さらに、それにより得られる係合傾斜面部８０Ｄに直交する方向の力が、可動係合部材８２の第１の部分８２Ａの上方端部に設けられた傾斜面部８２ａにおいて方向分散されて得られる、後方に向かう方向の力とされることになる。斯かる後方に向かう方向の力は、実質的に、位置規制部材７０によって基準位置に位置規制されたピストン部６７に作用するコイルスプリング６９の付勢力についての方向分散が繰り返されて得られるものとされ、それゆえ、比較的小なるものである。
【００５４】
それゆえ、このような比較的小なるものである、可動係合部材８２の第２の部分８２Ｂに設けられた係止部８２ｂによりトリガー部４４に設けられた突起部４４Ａに加えられる荷重に打ち勝つことが必要とされる、トリガー部４４に設けられた突起部４４Ａが可動係合部材８２の第２の部分８２Ｂに設けられた係止部８２ｂから外れることになる状態を生じさせるべくトリガー部４４を引く操作に要される操作力も、低減された比較的小なるものとされることになる。
【００５５】
また、このような位置規制部材７０がピストン部６７をコイルスプリング６９の付勢力に抗して静止する基準位置に維持する規制状態をとるもとにおいて、可動係合部材８２の第２の部分８２Ｂに設けられた係止部８２ｂによりトリガー部４４に設けられた突起部４４Ａに加えられる荷重が、実質的に、位置規制部材７０によって基準位置に位置規制されたピストン部６７に作用するコイルスプリング６９の付勢力についての方向分散が繰り返されて得られる比較的小なる力とされる状態は、傾斜面部８０Ｃが形成されて位置規制部材７０に連結された可動連結部材８０とその可動連結部材８０とトリガー部４４との両者に係合する可動係合部材８２とを含んで構成されて、確実な動作を行う連動機構部７９を備えた構成によってとられる。それゆえ、例えば、不所望にトリガー部４４が引かれる操作が行われてしまい、暴発等の不都合がまねかれるという虞はなく、操作の安全性も確保されている。
【００５６】
上述のようにして、トリガー部４４が引かれる操作が行われ、可動連結部材８０が可動係合部材８２との相互当接状態から解放されると、それに伴って、位置規制部材７０が、ピストン部６７を基準位置に位置規制する規制状態から解放される。その結果、ピストン部６７が、それに作用するコイルスプリング６９の付勢力に従う移動を行うものとなって、先端部に設けられた突出部６７Ａにより、圧力室６３内の空気を圧縮しつつ装弾室５０に近接する前進を開始する。このようなピストン部６７のコイルスプリング６９の付勢力に従う前進により、ピストン部６７の環状フランジ部６７Ｂにその前方側から当接する位置規制部材７０、及び、位置規制部材７０に当接する可動連結部材８０も、可動連結部材８０に設けられた長孔８０Ａとその長孔８０Ａを貫通する軸８６とによって規制される移動範囲内での前進を開始する。
【００５７】
可動連結部材８０の前進は、図７において一点鎖線により示されるように、可動連結部材８０に当接する可動当接部材８４により規制されるもとでの、その前進によりローラ部材９０を回転させつつ移動する傾斜面部８０Ｃに起因する回動を伴って行われる。斯かる可動連結部材８０の回動は、位置規制部材７０に、それに設けられた係合ピン８５により可動当接部材８４を通じてコイルスプリング８３を圧縮する方向の回動を行わせるものとされる。このようにして、ピストン部６７の前進に伴う前進と回動とを可動連結部材８０と共に行う位置規制部材７０は、ピストン部６７の前進を妨げるものとなることなく、図８に示される如く、その突出板状部分７０Ｂがピストン部９７に設けられた環状フランジ部６７Ｂから外れて、ピストン部６７との係合を解除するものとなる。それにより、図８において一点鎖線により示される如くに、ピストン部６７が前進を継続し、一方、位置規制部材７０及び可動連結部材８０の回動を伴う前進が停止される。
【００５８】
ピストン部６７との係合を解除した位置規制部材７０に連結されている可動連結部材８０は、係合ピン８５を可動当接部材８４に当接させた位置規制部材７０を介して作用するコイルスプリング８３の付勢力により、長孔８０Ａとその長孔８０Ａを貫通する軸８６とにより規制される移動範囲内での後退と、その後退によりローラ部材９０を回転させつつ移動する傾斜面部８０Ｃに起因する回動とを行って、基準位置に復帰する。そして、斯かる可動連結部材８０の後退及び回動に伴って、位置規制部材７０も基準回動位置に復帰する。
【００５９】
一方、図９に示されるように、コイルスプリング６９の付勢力により、圧力室６３内の空気を突出部６７Ａにより圧縮しつつ前進するピストン部６７は、突出部６７Ａが、ノズル部６０の先端部分を環状部材５０Ａに係合させる基準位置をとる可動部材４２に設けられた環状部６１に係合することにより、前進を停止する。そして、ピストン部６７に設けられた突出部６７Ａが環状部６１に係合する過程において、圧力室６３内の圧縮された空気がノズル部６０を通じて装弾室５０に急激に押し出されることにより、環状部５０Ａにより形成される装弾室５０に装填されたＢＢ弾７７に極めて大なる気体圧（空気圧）が急激に作用する。
【００６０】
このようにして装弾室５０に装填されたＢＢ弾７７に作用する空気圧は、図９において一点鎖線により示される如くに、ＢＢ弾７７を装弾室５０からバレル部４１内へと急速に移動させて、ＢＢ弾７７の装弾室５０からの発射を生じさせる。斯かる際、装弾室５０に装填されたＢＢ弾７７を発射させるためのトリガー部４４を引く操作が、それに要される操作力が低減されて比較的小なるものとされていることにより、装弾室５０に装填されたＢＢ弾７７の発射時に玩具銃４０に生じる振れが効果的に抑制され、ＢＢ弾７７についての標的に対する命中精度の向上が図られる。
【００６１】
また、装弾室５０からＢＢ弾７７が発射される時期と略同時期において、トリガー部４４がそれを引く操作から解放されるとともに、可動係合部材８２により圧縮状態におかれたコイルスプリング５６が、伸長状態に移行し、可動突出部５５に可動係合部材８２を押圧する状態をとらせつつ、トリガー部４４に軸５４を支軸として操作開始位置に復帰する回動を行わせる。
【００６２】
圧縮状態から伸長状態に移行するコイルスプリング５６の押圧力を可動突出部５５を通じて受ける可動係合部材８２は、軸８１を支軸として、第１の部分８２Ａにおける傾斜面部８２ａが設けられた上方端部を、可動連結部材８０における係合傾斜面部８０Ｄが設けられた後端部に近接させる方向に回動する。そして、その回動を、図１０に示されるように、基準位置に復帰した可動連結部材８０における係合傾斜面部８０Ｄが形成する傾斜段部に、その後方側から、第１の部分８２Ａにおける傾斜面部８２ａが設けられた上方端部を当接させて、停止する。なお、斯かる際において、可動係合部材８２の回動が、可動係合部材８２に設けられた係止部８２ｂとトリガー部４４に設けられた突起部４４Ａとによる接触をまねくことなく円滑に行われるべく、係止部８２ｂと突起部４４Ａとの形状，寸法等が選定されており、係止部８２ｂは、可動係合部材８２の回動により、突起部４４Ａの前方側に移動する。
【００６３】
回動を停止した可動係合部材８２は、それに設けられた係止部８２ｂを、トリガー部４４に設けられた突起部４４Ａにその前方側から当接させた状態をもって、操作開始位置に復帰したトリガー部４４と基準位置に復帰した可動連結部材８０との両者に係合した状態をとり、トリガー部４４及び可動連結部材８０を、夫々、操作開始位置及び基準位置に位置規制する。
【００６４】
さらに、図９に示されるような基準位置をとる可動部材４２は、ハンドル部４５を利用した操作により、装弾室５０から離隔する後退とそれに続く装弾室５０に近接する前進とを行って、空の状態になった装弾室５０へのＢＢ弾７７の装填を行うが、斯かる際における可動部材４２の後退に伴って、突出部６７Ａを環状部６１に係合させたピストン部６７も、それに作用するコイルスプリング６９の付勢力に抗して後退せしめられる。
【００６５】
このような可動部材４２の後退に伴って後退するピストン部６７は、それに設けられた環状フランジ部６７Ｂが、基準回動位置に復帰した位置規制部材７０の突出板状部分７０Ｂをその前方側から押圧して、図１０において実線により示されるように、位置規制部材７０を、それに係合ピン８５及び可動当接部材８４を介して作用するコイルスプリング８３の付勢力に抗する方向に回動させることにより、その位置規制部材７０を乗り越え、図１０において一点鎖線により示されるように、ガイド部材６８の後端部を成す環状フランジ部６８Ａに当接するものとされる。また、ピストン部６７の環状フランジ部６７Ｂにより回動せしめられた位置規制部材７０は、それを環状フランジ部６７Ｂが乗り越えた後、係合ピン８５及び可動当接部材８４を介して作用するコイルスプリング８３の付勢力に従った回動を行うが、その回動が、基準位置をとる可動連結部材８０により規制され、それにより、図１０において一点鎖線により示される如くに、再び基準回動位置に復帰する。
【００６６】
ピストン部６７の後退は、それに設けられた環状フランジ部６７Ｂがガイド部材６８に設けられた環状フランジ部６８Ａに当接する最後退位置へ到達したとき停止する。最後退位置に到達したピストン部６７は、可動部材４２の後退に続く前進により、コイルスプリング６９の付勢力に従う前進を開始するが、そのピストン部６７の前進は、基準回動位置に復帰した位置規制部材７０の突出板状部分７０Ｂに、その後方側から環状フランジ部６７Ｂが当接することにより停止される。その結果、図１に示される如く、ピストン部６７が、それに作用するコイルスプリング６９の付勢力に抗して、基準回動位置をとる位置規制部材７０により、装弾室５０からの離隔距離が大とされる基準位置を維持するものとされる。
【００６７】
その後、可動部材４２が、ハンドル部４５を利用した操作による後退とそれに続く前進とによって装弾室５０に弾丸ＢＢを装填して基準位置に復帰したもとで、トリガー部４４が引かれる操作が行われることにより、上述の動作が繰り返される。
【産業上の利用可能性】
【００６８】
上述のような本願の特許請求の範囲における請求項１から請求項５までのいずれかに記載された発明に係る玩具銃は、ピストン部が基準位置をとるとき、操作開始位置をるトリガー部がその操作開始位置を確実に維持するものとされて、操作の安全性が確保されるもとで、ＢＢ弾を発射させるべく行われるトリガー部を操作開始位置から引く操作に要される操作力が、低減された比較的小なるものとされるので、例えば、高い命中精度が要求される精密射撃用玩具銃としての使用に供され得るものである。
【図面の簡単な説明】
【００６９】
【図１】本願の特許請求の範囲における請求項１から請求項５までのいずれかに記載された発明に係る玩具銃の一例の要部の構成及び動作の説明に供される断面図である。
【図２】本願の特許請求の範囲における請求項１から請求項５までのいずれかに記載された発明に係る玩具銃の一例の外観を示す側面図である。
【図３】本願の特許請求の範囲における請求項１から請求項５までのいずれかに記載された発明に係る玩具銃の一例の外観を示す側面図である。
【図４】図２及び図３に示される例の要部の構成及び動作の説明に供される断面図である。
【図５】図２及び図３に示される例の要部の構成及び動作の説明に供される断面図である。
【図６】図２及び図３に示される例の要部の構成及び動作の説明に供される断面図である。
【図７】図２及び図３に示される例の要部の構成及び動作の説明に供される断面図である。
【図８】図２及び図３に示される例の要部の構成及び動作の説明に供される断面図である。
【図９】図２及び図３に示される例の要部の構成及び動作の説明に供される断面図である。
【図１０】図２及び図３に示される例の要部の構成及び動作の説明に供される断面図である。
【図１１】従来提案されている玩具銃の一例の説明に供される部分断面である。
【図１２】従来提案されている玩具銃の一例の説明に供される部分断面である。
【符号の説明】
【００７０】
４０・・・玩具銃，  ４１・・・バレル部，  ４２・・・可動部材，  ４４・・・トリガー部，  ４４Ａ・・・突起部，  ５０・・・装弾室，  ５５・・・可動突出部，  ５６，６９，８３・・・コイルスプリング，  ６３・・・圧力室，  ６７・・・ピストン部，  ７０・・・位置規制部材，  ７５・・・弾倉，  ７９・・・連動機構部，  ８０・・・可動連結部材，  ８０Ｃ・・・・傾斜面部，  ８０Ｄ・・・係合傾斜面部，  ８２・・・可動係合部材，  ８２ａ・・・傾斜面部．  ８２ｂ・・・係止部，  ８４・・・可動当接部材，  ８５・・・係合ピン，  ９０・・・ローラ部材
【図１】
2005090890.tif 000003
【図２】
2005090890.tif 000004
【図３】
2005090890.tif 000005
【図４】
2005090890.tif 000006
【図５】
2005090890.tif 000007
【図６】
2005090890.tif 000008
【図７】
2005090890.tif 000009
【図８】
2005090890.tif 000010
【図９】
2005090890.tif 000011
【図１０】
2005090890.tif 000012
【図１１】
2005090890.tif 000013
【図１２】
2005090890.tif 000014